【手続補正書】
【提出日】平成17年11月30日(2005.11.30)
【手続補正１】
【補正対象書類名】明細書
【補正対象項目名】発明の名称
【補正方法】変更
【補正の内容】
【発明の名称】変調装置および方法、記録媒体、並びに復調装置および方法
【手続補正２】
【補正対象書類名】明細書
【補正対象項目名】特許請求の範囲
【補正方法】変更
【補正の内容】
【特許請求の範囲】
【請求項１】  基本データ長がｍビットのデータを、基本符号長がｎビットの可変長符号(d,k;m,n;r)に変調する変調装置において、
符号列に最小ランに続き、最大ランを破るパターンを有する同期信号を付加する同期信号付加手段
を備えることを特徴とする変調装置。
【請求項２】  前記最大ランを破るパターンは、２回連続する
ことを特徴とする請求項１に記載の変調装置。
【請求項３】  前記同期信号は、そのパターンに、直前または直後の符号語列との接続において最小ランおよび最大ランを守る接続用ビットを有する
ことを特徴とする請求項１に記載の変調装置。
【請求項４】  前記同期信号は、２種類以上の相互に識別可能なパターンを有する
ことを特徴とする請求項１に記載の変調装置。
【請求項５】  前記２種類以上の相互に識別可能なパターン同士の距離が２以上である
ことを特徴とする請求項４に記載の変調装置。
【請求項６】  前記同期信号のパターンは、DCフリーである
ことを特徴とする請求項４に記載の変調装置。
【請求項７】  前記同期信号は、２種類のパターンを有し、DSV制御のために切り替え可能である
ことを特徴とする請求項１に記載の変調装置。
【請求項８】  基本データ長がｍビットのデータを、基本符号長がｎビットの可変長符号(d,k;m,n;r)に変調する変調方法において、
符号列に最小ランに続き、最大ランを破るパターンを有する同期信号を付加する同期信号付加ステップ
を含むことを特徴とする変調方法。
【請求項９】  基本データ長がｍビットのデータを、基本符号長がｎビットの可変長符号(d,k;m,n;r)に変調する変調方式により作成された符号列に、最小ランに続き、最大ランを破るパターンを有する同期信号が付加されたデータ構造のデータ列を記録していることを特徴とする記録媒体。
【請求項１０】  前記最大ランを破るパターンは、２回連続する
ことを特徴とする請求項９に記載の記録媒体。
【請求項１１】  前記同期信号は、そのパターンに、直前または直後の符号語列との接続において最小ランおよび最大ランを守る接続用ビットを有する
ことを特徴とする請求項９に記載の記録媒体。
【請求項１２】前記同期信号は、２種類以上の相互に識別可能なパターンを有する
ことを特徴とする請求項９に記載の記録媒体。
【請求項１３】  前記２種類以上の相互に識別可能なパターン同士の距離が２以上である
ことを特徴とする請求項１２に記載の記録媒体。
【請求項１４】  前記同期信号のパターンは、DCフリーである
ことを特徴とする請求項１２に記載の記録媒体。
【請求項１５】  基本符号長がｎビットの可変長符号(d,k;m,n;r)を、基本データ長がｍビットのデータに復調する復調装置において、
符号列から、最小ランに続き、最大ランを破るパターンを有する同期信号を検出する同期信号検出手段
を備えることを特徴とする復調装置。
【請求項１６】 前記最大ランを破るパターンは、２回連続する
ことを特徴とする請求項１５に記載の復調装置。
【請求項１７】 前記同期信号は、そのパターンに、直前または直後の符号語列との接続において最小ランおよび最大ランを守る接続用ビットを有する
ことを特徴とする請求項１５に記載の復調装置。
【請求項１８】 前記同期信号は、２種類以上の相互に識別可能なパターンを有する
ことを特徴とする請求項１５に記載の復調装置。
【請求項１９】 前記２種類以上の相互に識別可能なパターン同士の距離が２以上である
ことを特徴とする請求項１８に記載の復調装置。
【請求項２０】 前記同期信号のパターンは、DCフリーである
ことを特徴とする請求項１８に記載の復調装置。
【請求項２１】 前記同期信号は、２種類のパターンを有し、DSV制御のために切り替え可能である
ことを特徴とする請求項１５に記載の復調装置。
【請求項２２】  基本符号長がｎビットの可変長符号(d,k;m,n;r)を、基本データ長がｍビットのデータに復調する復調方法において、
符号列から、最小ランに続き、最大ランを破るパターンを有する同期信号を検出する同期信号検出ステップ
を含むことを特徴とする復調方法。
【手続補正３】
【補正対象書類名】明細書
【補正対象項目名】０００１
【補正方法】変更
【補正の内容】
【０００１】
【発明の属する技術分野】
本発明は、変調装置および方法、記録媒体、並びに復調装置および方法に関し、特に、データ伝送や記録媒体への記録に適するようにデータを変調し、再生する変調装置および方法、記録媒体、並びに復調装置および方法に関する。
【手続補正４】
【補正対象書類名】明細書
【補正対象項目名】００３６
【補正方法】変更
【補正の内容】
【００３６】
請求項８に記載の変調方法は、符号列に最小ランに続き、最大ランを破るパターンを有する同期信号を付加する同期信号付加ステップを含むことを特徴とする。
【手続補正５】
【補正対象書類名】明細書
【補正対象項目名】００３７
【補正方法】変更
【補正の内容】
【００３７】
請求項９に記載の記録媒体は、基本データ長がｍビットのデータを、基本符号長がｎビットの可変長符号(d,k;m,n;r)に変調する変調方式により作成された符号列に、最小ランに続き、最大ランを破るパターンを有する同期信号が付加されたデータ構造のデータ列を記録していることを特徴とする。
【手続補正６】
【補正対象書類名】明細書
【補正対象項目名】００３８
【補正方法】変更
【補正の内容】
【００３８】
請求項１５に記載の復調装置は、符号列から、最小ランに続き、最大ランを破るパターンを有する同期信号を検出する同期信号検出手段を備えることを特徴とする。
【手続補正７】
【補正対象書類名】明細書
【補正対象項目名】００３９
【補正方法】変更
【補正の内容】
【００３９】
請求項２２に記載の復調方法は、符号列から、最小ランに続き、最大ランを破るパターンを有する同期信号を検出する同期信号検出ステップを含むことを特徴とする。
【手続補正８】
【補正対象書類名】明細書
【補正対象項目名】００４０
【補正方法】削除
【補正の内容】
【手続補正９】
【補正対象書類名】明細書
【補正対象項目名】００４１
【補正方法】変更
【補正の内容】
【００４１】
請求項１に記載の変調装置および請求項８に記載の変調方法においては、符号列に最小ランに続き、最大ランを破るパターンを有する同期信号を付加する。
請求項９に記載の記録媒体においては、基本データ長がｍビットのデータを、基本符号長がｎビットの可変長符号(d,k;m,n;r)に変調する変調方式により作成された符号列に、最小ランに続き、最大ランを破るパターンを有する同期信号が付加されたデータ構造のデータ列が記録されている。
【手続補正１０】
【補正対象書類名】明細書
【補正対象項目名】００４２
【補正方法】変更
【補正の内容】
【００４２】
請求項１５に記載の復調装置および請求項２２に記載の復調方法においては、符号列から、最小ランに続き、最大ランを破るパターンを有する同期信号を検出する。
【手続補正１１】
【補正対象書類名】明細書
【補正対象項目名】００４５
【補正方法】変更
【補正の内容】
【００４５】
請求項１５に記載の復調装置は、符号列から、最小ランに続き、最大ランを破るパターンを有する同期信号を検出する同期信号検出手段（例えば、図３のSYNC/SyncID識別部３３）を備えることを特徴とする。
【手続補正１２】
【補正対象書類名】明細書
【補正対象項目名】０１００
【補正方法】変更
【補正の内容】
【０１００】
【発明の効果】
請求項１に記載の変調装置および請求項８に記載の変調方法によれば、符号列に最小ランに続き、最大ランを破るパターンを有する同期信号を付加するようにしたので、より確実な同期信号パターンを与えることが可能になる。
請求項９に記載の記録媒体によれば、基本データ長がｍビットのデータを、基本符号長がｎビットの可変長符号(d,k;m,n;r)に変調する変調方式により作成された符号列に、最小ランに続き、最大ランを破るパターンを有する同期信号が付加されたデータ構造のデータ列を記録するようにしたので、より確実な同期信号パターンを与えることが可能になる。
【手続補正１３】
【補正対象書類名】明細書
【補正対象項目名】０１０１
【補正方法】変更
【補正の内容】
【０１０１】
請求項１５に記載の復調装置および請求項２２に記載の復調方法によれば、符号列から、最小ランに続き、最大ランを破るパターンを有する同期信号を検出するようにしたので、より確実に同期信号パターンを検出することが可能になる。